(57)【要約】【課題】塗布液注出孔の部分にのみ塗布液Ｌが滞留せずに櫛板の各対向空間部における根元部分から先端部分まで塗布液が行き渡るようにして頭髪に塗布されない部分が生じず、塗布ムラの無い均一な塗布ができるようにすることにある。【解決手段】塗布液充填容器２０の注出用開口部２１に取付けられる注出用筒体部２の天板部３に複数本のブラシ状櫛４を所定立設空間部４ａを置いて立設した櫛付注出口１０であって、前記ブラシ状櫛４の立設空間部４ａにおける注出用筒体部２の天板部３に容器２０の注出用開口部２１に連通するブラシ状櫛４の先端部より低位に注出先端部を備える塗布液注出用のノズル部５が立設されている。【選択図】図１
2004049338.tif 000002
【特許請求の範囲】
【請求項１】
塗布液充填容器の注出用開口部に取付けられる注出用筒体部の天板部に複数本のブラシ状櫛を所定立設空間部を置いて立設した櫛付注出口であって、前記ブラシ状櫛の立設空間部における注出用筒体部の天板部に、容器の注出用開口部に連通するブラシ状櫛の先端部より低位に注出先端部を備える塗布液注出用のノズル部が立設されていることを特徴とする櫛付注出口。
【発明の詳細な説明】
【０００１】
【発明の属する技術分野】
本発明は、適宜容器に充填包装された整髪剤や養毛剤、毛染め剤などの塗布剤を容器から注出して、頭髪など細線状体に塗布するための塗布用櫛を備えた櫛付注出口に関する。
【０００２】
【従来の技術】
整髪剤や養毛剤あるいは毛染め剤などの頭髪に塗布して使用される塗布液を充填包装した容器の注出口には、頭髪を櫛にて梳かしながら均一に塗布できるように、櫛付の注出口が使用されている。
【０００３】
従来の櫛付注出口は、図４の側面図に示すように、塗布液Ｌを充填した容器２０の上部開口部２１に、密封状態で螺着又は凹凸嵌合方式にて密封状態に連結して取付けられる取付用筒体部１の上部１ａに注出用筒体部２を備え、該注出用筒体部２の上部に該筒体部２を封鎖する天板部３を備え、該天板部３上面に複数枚の櫛板４が垂直に立設しているものである。
【０００４】
上記櫛付注出口１０は、例えば図５（ａ）の拡大側断面図に示すように、各々櫛板４内には、容器２０の開口部２１から取付用筒体部１と注出用筒体部２とに連通する垂直孔５が孔設され、該櫛板４の先端部には、垂直孔５の先端から各櫛板４の対向空間部４ａに向かって横方向に塗布液注出用の流路５ａが孔設されている。
【０００５】
容器２０から塗布液Ｌを注出して、頭髪に塗布する際は、フレキシブルな容器２０の側面を手で握り押圧するか、容器２０を傾けることにより、塗布液Ｌを垂直孔５を通って流路５ａより横方向に櫛板４の対向空間部４ａに押し出した後、該櫛板４により梳かすことにより頭髪に塗布できるようになっている。
【０００６】
また、例えば、図５（ｂ）の拡大側断面図に示すように、各々櫛板４の対向空間部４ａの天板部３には、容器２０の開口部２１から取付用筒体部１と注出用筒体部２とに連通する塗布液注出用の垂直孔５が孔設されている。
【０００７】
容器２０から塗布液Ｌを注出して、頭髪に塗布する際は、フレキシブルな容器２０の側面を手で握り押圧するか、容器２０を傾けることにより、塗布液Ｌを垂直孔５を通って各櫛板４の対向空間部４ａに押し出した後、該櫛板４により梳かすことにより頭髪に塗布できるようになっている。
【０００８】
【発明が解決しようとする課題】
上記のような櫛付注出口１０においては、図５（ａ）に示すように塗布液Ｌが流出する最終出口である横方向への流路５ａが、櫛板４の先端部に設けられている場合には、流路５ａから注出した塗布液Ｌは、特に泡状液（ムース）などの場合に、櫛板４の先端部に留まってしまって、根元部分には行き届かない場合があり、したがって頭髪に塗布されない部分が生じたり、均一な塗布に支障を来す場合がある。
【０００９】
また、図５（ｂ）に示すように、垂直孔５が、櫛板４の先端部に設けられている場合には、垂直孔５から注出した塗布液Ｌは、特に泡状液（ムース）などの場合には、櫛板４の根元部分に留まってしまって、先端部分には行き届かない場合があり、頭髪に塗布されない部分が生じたり、均一な塗布に支障を来す場合がある。
【００１０】
本発明は、櫛付注出口において、塗布液注出孔の部分にのみ塗布液Ｌが滞留せずに、櫛板の各対向空間部における根元部分から先端部分まで塗布液が行き渡るようにして、頭髪に塗布されない部分が生じず、塗布ムラの無い、均一な塗布ができるようにすることにある。
【００１１】
【課題を解決するための手段】
本発明は、塗布液充填容器の注出用開口部に取付けられる注出用筒体部の天板部に複数本のブラシ状櫛を所定立設空間部を置いて立設した櫛付注出口であって、前記ブラシ状櫛の立設空間部における注出用筒体部の天板部に、容器の注出用開口部に連通するブラシ状櫛の先端部より低位に注出先端部を備える塗布液注出用のノズル部が立設されていることを特徴とする櫛付注出口である。
【００１２】
【発明の実施の形態】
本発明の櫛付注出口の実施の形態を図面に基づいて以下に詳細に説明すれば、図１（ａ）は櫛付注出口１０の上面図、図１（ｂ）はその正面図、図１（ｃ）は図１（ｂ）の側断面図、図２は櫛付注出口１０に立設した櫛板部分の部分拡大斜視図、図３は櫛付注出口１０に施蓋するキャップ３０の正面断面図である。
【００１３】
本発明の櫛付注出口１０は、図１（ａ）、及び図１（ｂ）〜（ｃ）、及び図２に示すように、塗布液充填容器２０の注出用開口部２１に取付けられるようになっていて、注出用開口部２１に連通して取付けられる注出用筒体部２の上部を覆うように設けられた天板部３の上面に、複数本のブラシ状櫛４、４、４、・・・が空間部４ａを以て立設配列されている。
【００１４】
なお、天板部３の上面は、前記各櫛板４の配列された立設基部（根元）部分と他の部分が同一平面として形成されていてもよいし、図１（ａ）及び図１（ｂ）に示すように各櫛板４の配列された立設基部（根元）部分の天板部３の上面が、他の天板部３の上面部分よりも高い段差を付けた段差天板部３ａ部分となっていてもよい。
【００１５】
上記筒体部２の天板部３上面に立設したブラシ状櫛４の立設空間部４ａにおける注出用筒体部２の天板部３には、容器２０の注出用開口部２１に連通する塗布液注出用のノズル部５が立設されていて、該塗布液注出用のノズル部５の先端部は、図１（ｂ）〜（ｃ）に図示するように、ブラシ状櫛４の先端部より低位になるように設けられている。
【００１６】
該塗布液注出用のノズル部５は、図２の拡大斜視図に示すように、その内部に垂直方向に容器２０の注出用開口部２１に連通する塗布液流路５ａが設けられている。
【００１７】
そして、櫛付注出口１０は、図１（ｃ）に示すように、ブラシ状櫛４を覆うようにキャップ３０にて施蓋することができるようになっている。
【００１８】
前記キャップ３０は、例えば、図３に示すように、キャップ３０内面上部から下向きに、注出用ノズル部５先端部の流路５ａ内に密に嵌着する先端部を持つシャフト３１により施封することができる。
【００１９】
本発明における容器２０の構造や形態、また櫛付注出口１０を容器２０の注出用開口部２１に取り付ける取り付け構造については、特に限定されるものではないが、例えば図１（ｂ）に示すように、容器２０の注出用開口部２１に螺着方式又は凹凸密着嵌合方式にて密封状態に取付可能な取付用筒体部１を備えていて、該筒体部１の上部に注出用筒体部２を備えるようにしたものでもよいし、注出用筒体部２を容器２０の注出用開口部２１に直接、螺着方式又は凹凸密着嵌合方式にて密封状態に取付可能であってもよい。
【００２０】
【発明の効果】
本発明の櫛付注出口は、従来の櫛付注出口と同様の方法で使用でき、立設した複数本のブラシ状櫛の立設空間部に塗布液の注出用ノズル部を備え、ブラシ状櫛の先端部と立設基部との間であって、しかも櫛の先端より下方に下がった部分に塗布液が注出するノズル先端部を備えているので、塗布液を注出部分にのみ滞留させずに、塗布液を櫛先端の方向と立設基部の方向とに分散して、ノズル部先端部から注出させることができる。
【００２１】
また、塗布液を注出部分にのみ滞留させずに、櫛の先端部分から根元部分の立設基部まで行き渡らせることができ、頭髪に対して、整髪料や毛染め液などの塗布液の塗布されない部分が生じたり、塗布ムラを発生させたりせずに均一な塗布を可能とする櫛付注出口を提供できる。
【図面の簡単な説明】
【図１】（ａ）は本発明の一実施の形態における櫛付注出口の上面図、（ｂ）はその正面図、（ｃ）はその側面図。
【図２】本発明の櫛付注出口のブラシ状櫛と注出用ノズル部分の部分拡大斜視図。
【図３】本発明の櫛付注出口に施蓋するキャップの正面断面図。
【図４】従来の櫛付注出口の正面図。
【図５】（ａ）〜（ｂ）は従来の櫛付注出口の部分拡大正面断面図。
【符号の説明】
１…取付筒体部　１ａ…取付筒体部の上部　２…注出用筒体部　３…天板部
４…ブラシ状櫛　４ａ…立設空間部　５…注出用ノズル部　５ａ…流路
１０…櫛付注出口　２０…容器　２１…容器の注出用開口部　３０…キャップ
【図１】
2004049338.tif 000003
【図２】
2004049338.tif 000004
【図３】
2004049338.tif 000005
【図４】
2004049338.tif 000006
【図５】
2004049338.tif 000007